(57)【特許請求の範囲】
【請求項１】
船舶が水上を移動しているときに前記船舶（１）の船体（２）の略平坦な平底（３）と前記平底下を流れる水との間に空気潤滑層を与えるためのシステムであって、
当該システムが、開口（１３）を有する凹部（６）を画定する側壁（５，５’）および上壁（４）を備え、
前記開口（１３）が、前記平底（３）と実質的に同じ高さで前記側壁（５，５’）に対して横方向の界面に配置され、
前記開口が、前記凹部の長手方向で見て前端（９）および後端（１５）を有し、
当該システムが、前記凹部内の水位が前記平底の外表面と実質的に同じ高さに維持されるように、前記開口から離間されて空気を前記凹部内へ導入するための空気入口（１０）を備え、
前記船舶が水上を前進しているときに、前記凹部内の空気が、空気−水界面で水と混合し、その結果、前記後端（１５）の下方で前記凹部から抜け出て、前記凹部の下流側で前記平底の一部分に沿って潤滑層を形成する空気−水混合物を形成し、前記平底の一部分は、前記開口の長さＬｃと同じ長さを有し、
前記凹部（６）が０．５ｍ〜１．５ｍの幅（Ｗ）を有し、
前記凹部（６）の前記後端（１５）の少なくとも一部分（１６）が、前記上壁（４）から前記界面に後方に向けて傾斜しており、この傾斜壁部が、略水平な底面の位置まで延び、
前記凹部（６）の前記開口（１３）の長さが、２〜１０ｍ、好ましくは２〜７ｍ、より好ましくは２〜５ｍであり、前記界面からの前記上壁（４）の距離（Ｈ）が０．２ｍ〜０．５ｍであり、あるいは、
前記凹部（６）の前記開口（１３）の長さが２ｍ〜５ｍであり、前記界面からの前記上壁（４）の距離（Ｈ）が、０．２ｍ〜１．５ｍ、好ましくは０．２ｍ〜１．０ｍ、最も好ましくは０．２ｍ〜０．５ｍである、
システム。
【請求項２】
前記傾斜壁部が、前記底面の位置で前記底面に接する、請求項１に記載のシステム。
【請求項３】
前記開口（１３）に隣接している前記凹部（６）の前記後端（１５）の少なくとも一部分（１６）が凸状である、請求項１〜２のいずれか一項に記載のシステム。
【請求項４】
前記凹部の幅（Ｗ）に比例して前記凹部（６）内へ導入される空気の量を船舶の速度に応じて制御するための手段（１２）を備え、それにより、約１ｍの幅の前記凹部に関しては、
４ｍ／ｓの速度で、７〜７０ｍ３／ｈの空気流量が供給され、
５ｍ／ｓの速度で、１５〜１５０ｍ３／ｈの空気流量が供給され、
６ｍ／ｓの速度で、２５〜２５０ｍ３／ｈの空気流量が供給され、
７ｍ／ｓの速度で、４５〜４５０ｍ３／ｈの空気流量が供給され、
８ｍ／ｓの速度で、７０〜７００ｍ３／ｈの空気流量が供給され、
１０ｍ／ｓの速度で、１００〜１０００ｍ３／ｈの空気流量が供給され、
１１ｍ／ｓの速度で、１４０〜１４００ｍ３／ｈの空気流量が供給され、
１２ｍ／ｓの速度で、２６０〜２６００ｍ３／ｈの空気流量が供給される、
請求項１〜３のいずれか一項に記載のシステム。
【請求項５】
前記側壁（５，５’）間の距離が前記前端（９）へ向かうにつれて減少する、請求項１〜４のいずれか一項に記載のシステム。
【請求項６】
前記開口（１３）の周囲で延びる平板部（８）を備え、前記平板部（８）が、前記船体と面一となるように船舶の前記船体（２）の開口内に溶接されるようになっている、請求項１〜５のいずれか一項に記載のシステム。
【請求項７】
少なくとも１０，０００トン、好ましくは少なくとも５０，０００トンの排水量を有する排水型の船舶（１）であって、
当該船舶が水上を移動しているときに当該船舶の船体（２）と該船体下を流れる水との間に空気潤滑層を与えるための請求項１〜６のいずれか一項に記載の少なくとも１つのシステムを備え、
当該船舶が略平坦な平底（３）を有し、該平底（３）が、少なくとも１０ｍ、好ましくは少なくとも２０ｍの長さ（Ｌｈ）を有し、
当該船舶が、所定の速度で航行するための推進装置を有し、
前記凹部（６）の前記界面が前記平底（３）と実質的に同じ高さにあり、
少なくとも凹部の長さ（Ｌｃ）と同じ長さ、好ましくは少なくとも１５ｍの長さを有する前記平底の一部分が、前記少なくとも１つの凹部（６）から下流側に延びるようになっている、船舶。
【請求項８】
前記平底が実質的に当該船舶の幅（Ｗｖ）全体にわたって延びる、請求項７に記載の船舶。
【請求項９】
前記平底（３）の幅の少なくとも一部に沿って並んで配置される複数の凹部（６．１ａ〜６．１ｅおよび６．２ａ〜６．２ｅ）を備える、請求項７または８に記載の船舶。
【請求項１０】
前記平底（３）の長手方向に分布される複数の凹部（６．１ａ〜６．１ｅおよび６．２ａ〜６．２ｅ）を備える、請求項７〜９のいずれか一項に記載の船舶。
【請求項１１】
請求項７〜１０のいずれか一項に記載の略平坦な平底（３）を有する船舶において請求項１〜６のいずれか一項に記載のシステムを動作させる方法であって、
空気を前記凹部内へ導入して水を前記凹部の外へ放出させるステップと、
前記凹部内の水位が前記平底の外表面と実質的に同じ高さに維持されるように空気を前記凹部内へ導入し続け、それにより、前記船舶が水上を前進しているときに、前記凹部内の空気が、空気−水界面で水と混合し、その結果、空気−水混合物を形成する、ステップと、
前記混合物が前記凹部の下流側で前記平底（３）に沿って潤滑層を形成するように、前記混合物が前記凹部の後縁の下方で前記開口（１３）の幅に沿って前記凹部から抜け出ることができるようにするステップと
を備える方法。
【請求項１２】
前記空気が、前記空気−水界面に対する直接的な衝突を回避するように前記凹部内へ注入される、請求項１１に記載の方法。
【請求項１３】
請求項７〜１０のいずれか一項に記載の船舶に請求項１〜６のいずれか一項に記載のシステムを設ける方法であって、
前記船舶の前記船体に穴を切削形成するステップと、
前記システムの壁を前記穴内に位置させて、それを前記船舶の前記船体に固定するステップと、
空気ダクトを前記凹部に接続するステップと
を備える方法。
【発明の詳細な説明】
【技術分野】
【０００１】
本発明は、船舶が水上を移動しているときに船舶の船体と船体下を流れる水との間に空気潤滑層を与えるためのシステムに関する。本発明はまた、そのようなシステムを備える排水型船舶、排水型船舶におけるそのようなシステムを動作させる方法、および、そのようなシステムを排水型船舶に設ける方法に関する。
【背景技術】
【０００２】
国際公開第２０１０／０６４９１１号パンフレットは、排水型船舶の船体の平底領域に凹部（ｃａｖｉｔｙ）を設けて該凹部の開口が平底領域にあるようにすることによって、該船舶の船体で微細な気泡の層を発生させて、摩擦抵抗を減らす方法について記載する。空気が、凹部内の水位が船舶の船体と実質的に同じ高さに維持されるような度合いで凹部内へ注入される。船舶の前進に起因して、凹部内の空気は、船舶が移動している速度で水に対して移動する、あるいは、凹部から見て、水は、その速度で凹部を通り過ぎて流れる。空気と水との間の速度の違いは、水と空気との間の界面で空気と水との混合をもたらし、その結果として小サイズの気泡の層の発生をもたらす、いわゆるケルビンヘルムホルツ不安定性（ＫＨＩ）を引き起こす。これらの気泡の小さいサイズは該気泡を非常に安定させ、そのため、気泡が比較的長期間にわたって水上にとどまる傾向がある。凹部内で発生される小さい気泡は、それらが凹部の下流側の船底に沿って長い距離にわたって延びる安定した潤滑層を形成するように凹部の後縁で凹部から解放される。このようにすると、船舶の推進においてエネルギーを節約できる。
【発明の概要】
【発明が解決しようとする課題】
【０００３】
本発明の目的は、船舶が水上を移動しているときに船舶の船体と船体下を流れる水との間に空気潤滑層を与えるための改良されたシステムであって、船舶の船体に更に容易に組み込むことができる改良されたシステムを提供することである。
【０００４】
本発明の更なる目的は、波浪状態下において効率的かつ安定した方法で作用され得る空気潤滑層を与えるための改良されたシステムを提供することである。
【０００５】
本発明の更なる目的は、そのようなシステムを組み込む排水型船舶を提供することである。
【０００６】
本発明の別の目的は、排水型船舶においてそのようなシステムを動作させる方法を提供することである。
【０００７】
本発明の別の目的は、既存の船体を弱体化させることなく、そのようなシステムを既存の排水型船舶の船体にレトロフィットする方法を提供することである。別の目的は、船舶の貨物スペースを妨げることなくレトロフィットする方法を提供することである。
【課題を解決するための手段】
【０００８】
これらの目的を満たすために、本発明は、船舶が水上を移動しているときに船舶の船体の略平坦な平底と平底下を流れる水との間に空気潤滑層を与えるためのシステムであって、該システムが、開口を有する凹部を画定する側壁および上壁を備え、開口が、平底と実質的に同じ高さで側壁に対して横断する界面に配置され、開口が、凹部の長手方向で見て前端および後端を有し、該システムが、開口から離間されて空気を凹部内へ導入するための空気入口を備え、凹部の開口の長さが、２〜１０ｍ、好ましくは２〜７ｍ、より好ましくは２〜５ｍであり、界面からの上壁の距離（Ｈ）が０．２ｍ〜０．５ｍであるシステムを提供する。
【０００９】
本発明者等は、０．２ｍ〜０．５ｍの高さで凹部の開口の長さを２ｍ〜１０ｍにすると、凹部内で水と空気との間の界面に安定した明確な潤滑空気−水混合物が形成されることに気付いた。これは、界面からの上壁の距離が０．２ｍ〜１．５ｍ、好ましくは０．２ｍ〜１．０ｍ、最も好ましくは０．２ｍ〜０．５ｍである場合に２ｍ〜５ｍの長さを有する凹部に関しても見出された。
【００１０】
長さが５ｍ〜３０ｍであり高さが最大で５ｍであると示唆される国際公開第２０１０／０６４９１１号パンフレットから知られる凹部の比較的大きな開口および大きな容積と比べると、本発明者等は、凹部を安定した効率的な方法で作用させつつかなり小さくできると同時に、凹部を船舶の船体に組み込むのが更に容易であることに気付いた。特に、そのようなシステムがレトロフィットされると、船体の構造の任意の弱体化効果を最小限に抑えるべく凹部を可能な限り小さくでき、好適である。特に、凹部高さを０．５ｍ未満にすると、二重底船舶または二重船体船舶において２つの船体間にシステムを配置することができる。このことは、利用可能な貨物スペースが、船舶へのシステムの組み込みによって影響されないことを意味する。国際公開第２０１０／０６４９１１号パンフレットから知られる凹部は最大で５ｍの高さを有し、このことは、凹部が船舶の貨物スペース内に延び、それにより、船舶によって輸送できる貨物が少なくなることを意味する。また、システムが必要とする材料が少なければ少ないほど、システムの取り扱いが容易になる。
【００１１】
例えば、国際公開第２０１０／０６４９１１号パンフレットから知られるような３０ｍ長さ凹部の別の不都合は、凹部の内側で波が生じ始め、それにより、凹部の後端で、そのような波が凹部からの水−空気混合物の不均一な流出を引き起こすことである。このことは、船体と該船体下を流れる水との間に形成される潤滑層が不均一となり、それにより、効率が低下することを意味する。本発明者等は、凹部内で水と空気との間の界面に適切な水−空気混合物を形成するには、本発明に係る凹部の比較的短い長さ、および凹部の比較的浅い形状で十分であり、この空気層が凹部から抜け出る際に平底の長い長さにわたって延び、それにより、船舶の船体に対する良好な潤滑効果が確保されると同時に、そのような短い凹部内で著しい波形成が起こらないことに気付いた。本発明に係る凹部は、波に影響されにくいとともに、船舶がヒーブ（ｈｅａｖｅ）動作、ロール動作、および、ピッチ動作を有するときでさえも空気の損失を伴うことなく良好に機能する。
【００１２】
比較的小さい凹部の使用により、効果的な摩擦低減潤滑効果を依然として維持しつつ、空気消費量を減らすことができることも分かってきた。
【００１３】
そのような比較的短い凹部によって得られるより均一で、それにより向上された潤滑効果の他に、凹部が船舶の既存の船体にレトロフィットされなければならないときにチャンバが比較的短いことも好適である。凹部は、それが船体に溶接されなければならないときに材料および人件費を節約する。
【００１４】
好ましくは、凹部は０．５ｍ〜１．５ｍの幅を有する。幾つかの凹部は、船舶の船体に並んで、および／または長手方向で見て前後に分布され得る。
【００１５】
開口に隣接している凹部の後端の少なくとも一部分が開口へ向けて傾斜し、その傾斜壁部が略水平な底面の位置まで延びているときには、空気−水混合物は、海上の波に起因して船舶が横揺れしているか、あるいは移動しているときであっても、船体下でスムーズに案内されて、均一な潤滑効果を与え、それにより、船舶の船体下で潤滑層の均等な解放を確保する。好ましくは、凹部内に形成される気泡の滑らかな移行のため、システムが平底において適用されて、凹部の後端が船体の底面と交差するように下方へ傾斜する。好ましくは、凹部から船舶の船体の略平坦な平底に沿う気泡層の安定した移行をもたらし、それにより、長い距離にわたって後方に延びる長い気泡の尾を形成するために、凹部の傾斜壁部が底面の位置で該底面に接する。
【００１６】
好ましくは、開口に隣接している凹部の後端の少なくとも一部分が凸状である。これは、潤滑層を船体下に導入できる方法を更に一層向上させる。
【００１７】
好ましくは、凹部の幅に比例して凹部内へ導入される空気の量を船舶の速度に応じて制御するための手段が設けられ、それにより、約１ｍの幅の凹部に関しては、
４ｍ／ｓの速度で、７〜７０ｍ３／ｈの空気流量が供給され、
５ｍ／ｓの速度で、１５〜１５０ｍ３／ｈの空気流量が供給され、
６ｍ／ｓの速度で、２５〜２５０ｍ３／ｈの空気流量が供給され、
７ｍ／ｓの速度で、４５〜４５０ｍ３／ｈの空気流量が供給され、
８ｍ／ｓの速度で、７０〜７００ｍ３／ｈの空気流量が供給され、
９ｍ／ｓの速度で、１５〜１５０ｍ３／ｈの空気流量が供給され、
１０ｍ／ｓの速度で、１００〜１０００ｍ３／ｈの空気流量が供給され、
１１ｍ／ｓの速度で、１４０〜１４００ｍ３／ｈの空気流量が供給され、
１２ｍ／ｓの速度で、２６０〜２６００ｍ３／ｈの空気流量が供給される。
【００１８】
制御システムは、空気を凹部内へ供給するエアコンプレッサに接続されるプロセッサおよびメモリデバイスを備えることができる。本発明者等は、所定の潤滑効果を与えるために必要とされる凹部の幅に実質的に比例する空気の量と船舶の速度との間に特定の関係を見出した。したがって、凹部の内側にセンサを何ら必要とすることなく、空気流量を調整できる。これは、システム自体を大幅に簡略化し、システムの設置に関与するコストを更に低減する。
【００１９】
好ましくは、凹部の側壁間の距離は、凹部の前部が「短剣」形状を有するように前方で減少する。この形状は、水位が前壁の下縁と完全に面一とならないときに凹部の内側で生み出される場合がある任意の波形成を排除するか、あるいは少なくとも減少させる役目を果たす。
【００２０】
システムが、例えば既存の船舶の船体にレトロフィットされるようになっているモジュールとして形成される場合、システムは、開口の周囲で延びる平板部を備えることができ、前記平板部は、船舶の船体の開口内に溶接されるようになっている。これは、船舶の船体にモジュールを所定位置で設置して溶接することを容易にする。
【００２１】
また、本発明は、船舶が水上を移動しているときに船舶のほぼ平底と平底下を流れる水との間に空気潤滑層を与えるためのシステムであって、該システムが、開口を有する凹部を画定する側壁および上壁を備え、開口が、平底と実質的に同じ高さで上壁から距離を隔てて配置される界面を規定し、開口が、使用中の船舶の前進方向で見て前端および後端を有し、システムが、空気を凹部内へ導入するために開口から離間する空気入口と、凹部の内側で界面から距離を隔てて幅方向に延びる少なくとも１つの波偏向部材とを備え、波偏向部材が、側壁および／または上壁に固定されるとともに、界面に対して略横方向に方向付けられる、システムも提供する。
【００２２】
そのような波偏向部材はシステムの始動を容易にする。システムが起動される前は、通常、凹部が水で一杯である。したがって、船舶がその航行速度で水上を移動しているときにシステムを起動できなければならない。空気を凹部内へ導入し始める際には、水位が凹部の上端にあり、また、船舶の船体下の水の流れが凹部の内側に非常に激しい乱流を引き起こし、それにより、水位が開口の高さに達する前に多量の空気が凹部の外へ引き出される。したがって、システムは、該システムを始動させるためには、定常状態でシステムを航行させるために必要とされる空気流量よりもかなり多い非常に多量の空気流量を必要とする。その結果、高容量を有する空気源が必要とされる。しかしながら、１つ以上の波偏向部材が凹部の内側に設けられると、凹部の前端縁から出現する波により生み出される乱流およびそこから生み出される乱流が偏向され、それにより、システムの初期始動中に空気が凹部の外へ殆ど引き出されない。その結果、システムを始動できるためには、低容量、すなわち、定常状態でシステムを動作させるために必要とされる空気流量よりもほんの僅かだけ多い容量を有する空気源で十分である。
【００２３】
好ましくは、少なくとも１つの波偏向部材が湾曲され、それにより、凹部の内側での波形成をかなり良好に抑制できる。
【００２４】
本発明はまた、少なくとも１０，０００トン、好ましくは少なくとも５０，０００トン以上の排水量を有する排水型船舶であって、船舶が水上を移動しているときに船舶の船体と該船体下を流れる水との間に空気潤滑層を与えるための少なくとも１つの凹部を備え、船舶が実質的に該船舶の幅全体にわたって延びる略平坦な平底を有し、この平底が、少なくとも１０ｍ、好ましくは少なくとも２０ｍの長さを有し、該船舶が所定の速度で航行するための推進装置を有し、凹部の開口が平底と実質的に同じ高さにあり、少なくとも凹部の長さと同じ長さ、好ましくは少なくとも１５ｍの長さを有する平底の一部分が、凹部から、あるいは各凹部から下流側に延びるようになっている排水型船舶も提供する。
【００２５】
大型船舶の船体の幅全体にわたって潤滑層を形成するために、船体の幅の少なくとも一部にわたって複数の凹部をほぼ隣り合わせて配置できる。
【００２６】
長い船舶に関しては、複数の凹部、または、隣り合って横方向に延びる凹部の複数の列を船体の長手方向で互いに前後に配置できる。凹部から放出される気泡の潤滑効果は５０〜１００ｍ後で低下するようになり、それにより、最大で４００ｍの長さとなり得る大型船舶では、長手方向に分布される少なくとも４〜８個の凹部、または、隣り合って横方向に延びる凹部の４〜８個の列を船舶の長手方向で互いに前後に設けることが適している。
【００２７】
本発明はまた、船舶が水上を移動しているときに略平坦な平底を有する船舶の船体と該船体下で流れる水との間に空気潤滑層を与えるためのシステムを動作させる方法であって、
空気を凹部内へ導入して水を凹部の外へ放出させるステップと、
凹部内の水位が平底の外表面と実質的に同じ高さに維持されるように空気を凹部内へ導入し続け、それにより、船舶が水上を前進しているときに、凹部内の空気が、空気−水界面で水と混合し、その結果、空気−水混合物を形成する、ステップと、
前記混合物が凹部の下流側で平底に沿って潤滑層を形成するように、前記混合物が凹部の後縁の下方で開口の幅に沿って前記凹部から抜け出ることができるようにするステップと
を備える方法も提供する。
【００２８】
好ましくは、空気は、空気−水混合物への直接的な衝突を回避するように凹部内へ注入される。ＫＨＩが適切に機能するために、また、あまり長く持続せず、弱い潤滑効果しか有さない大きな気泡の形成を回避するためには、空気−水界面が注入空気の強力な噴出によって影響されないことが重要である。好ましくは、空気が大きな開口を介してチャンバ内へ注入され、それにより、入口開口での空気の速度を低く、好ましくは５〜１０ｍ／ｓに維持できる。
【００２９】
本発明はまた、前述したシステムを船舶の船体に設ける方法であって、
船舶の船体に穴を切削形成するステップと、
開口をそれが穴と連通するように位置決めして、船舶の船体に凹部の壁を溶接するステップと、
空気ダクトを凹部に接続するステップと
を備える方法も提供する。
【００３０】
この方法によれば、システムを既存の船舶の船体に容易に設けることができ、それにより、既存の船舶において、推進のためのエネルギーを最大で１５％節約できる。
【００３１】
添付図面を参照して、本発明に係る、船舶が水上を移動しているときに船舶の船体と船体下を流れる水との間に空気潤滑層を与えるためのシステムの幾つかの実施形態を一例として詳しく説明する。
【図面の簡単な説明】
【００３２】
【図１】一例として、船舶の船体に互いに前後に配置される２つの凹部を備える船舶の概略側面図を示す。
【図２】船舶の底面図を示す。
【図３】凹部内で横方向に延びる湾曲した波偏向部材を有する、本発明に係るシステムの概略側面図を示す。
【図４】凹部内で横方向に延びる実質的に平らな波偏向部材を有する、本発明に係るシステムの概略側面図を示す。
【図５】船舶の底から見た凹部の開口の概略図を示す。
【発明を実施するための形態】
【００３３】
図１は、船体２と底面３とを有する本発明に係る船舶１の概略側面図を示す。船体２は、底面３に沿って測定される例えば５０ｍ〜４００ｍの長さＬｈを有する。
【００３４】
図２に示されるように、船舶１の底面３は凹部６の２つの列を備え、各列は、船舶の幅Ｗｖ全体にわたって互いに隣り合って配置される５つの凹部６．１ａ〜６．１ｅおよび６．２ａ〜６．２ｅを有する。幅Ｗｖは、１０〜５０ｍ、例えば１５〜２０ｍであってもよい。列は、略Ｖ字形状を有するように示されるが、凹部を曲線のストレートに沿って配置することもでき、あるいは、他のパターンを成して凹部を配置することもできる。凹部の数は、底面３の幅Ｗｖにしたがって選択される。しかしながら、底面３に単一の凹部を有することも可能である。
【００３５】
全ての凹部が同じ寸法を有することが好ましいが、凹部が異なる寸法を有することもでき、例えば、船舶の側面付近の凹部が異なる形状および／またはサイズを有することができる。
【００３６】
図３〜図５は、前端９、後端１５、上壁４、後壁１６、２つの側壁５，５’、空気入口１０、および、空気入口１０に接続される空気供給ダクト１１を有する凹部６を示す。凹部６は、船体の底面３と略面一な開口１３を更に備える。開口１３は、船体長さＬｈと比べて相対的に短い２ｍ〜１０ｍの長さＬｃを有する。開口１３の幅Ｗ（図５参照）は０．５〜１．５ｍであることが好ましい。凹部は、底面３から上壁４まで測定される、例えば０．２ｍ〜０．５ｍであってもよい高さＨを有する。
【００３７】
０．２ｍ〜１．５ｍ、好ましくは０．２ｍ〜１ｍの高さＨで１．５ｍ〜５ｍの長さＬｃを有する他の小サイズ凹部も効率的で安定した空気潤滑層を与える。
【００３８】
凹部６の前端９付近には、空気供給ダクト１１に接続される空気入口１０が設けられる。コンプレッサ１２が、ダクト１１を通じて大気中の空気を取り込むとともに、水を凹部から放出するべく圧縮空気を凹部６へ供給する。コンピュータデバイスなどのコントローラ２０が、船舶の速度に応じてコンプレッサを動作させるためにコンプレッサ１２に接続される。
【００３９】
船舶が水上を航行しているときに、凹部６内で水−空気界面を横切って移動する水は、ケルビンヘルムホルツ不安定性をもたらして、小サイズの気泡１４を形成する。これらの気泡は、凹部６の後端１５にある気泡流出領域を介して逃げる。後端１５において、凹部６は、該凹部の後端１５付近に楔形状空間を形成する下方傾斜面を有する。この流出領域から、気泡１４は、船体２の船尾１８へ向けて広がって、底面３の大部分を覆う。下方傾斜面を直線状の壁１６として、あるいは湾曲状の壁１６として形成することができる。図３の好ましい実施形態は、底面３の位置１５で前記底面３と接する湾曲状の後壁１６を示す。気泡が凹部の外へスムーズに案内されるようにするには、後壁１６の下側部分が湾曲され、あるいは傾斜されれば十分である。凹部からの気泡のスムーズな移行のためには、後壁１６が底面３の位置１５へ至るまでずっと延びることが重要である。上壁４に隣接する後壁１６の部分が湾曲され、あるいは傾斜される必要はない。後壁１６のこの部分を例えば垂直にすることができる。
【００４０】
図３および図４に示されるように、幾つかの波偏向部材７，７’，７”が凹部６の内側で横方向に延びる。これらの波偏向部材は、凹部を通る空気の自由な流れを許容するために上壁４および／または側壁５，５’から離れている。あるいは、波偏向部材は、上壁４および／または側壁５，５’に延びるが、例えば穿孔が設けられることにより、あるいはメッシュ状パターンを形成することにより空気を透過する。これらの波偏向部材７，７’，７”は、システムの始動を容易にする。システムが起動される前は、通常、凹部６が水で一杯である。波偏向部材７，７’，７”は、船舶が水上を前進しているときに、凹部６の前端９から現れる波を偏向する役目を果たし、また、そこから発生される乱流が偏向され、それにより、システムの初期の始動中、空気が凹部６の外へ殆ど引き出されない。ある場合には、単一の波偏向部材７で十分な場合があるが、３つ、または、５つ、または、６つ以上など、より多くの波偏向部材を設けることによって向上された効果が得られる。波偏向部材を側壁５，５’および／または上壁４に固定することができる。
【００４１】
少なくとも１つの波偏向部材７は湾曲していてもよく、または、少なくとも１つの波偏向部材は、垂直に配置されるか、あるいはそれが船体２の船尾１８へ向けて下向きに傾斜されるように傾いた角度で配置される実質的に平らな要素によって形成され得る。部材７，７’，７”は、中実であってもよく、あるいは、随意的に、部材７，７’，７”の前側から後側に延びる穴または開口を備えることができる。
【図１】
0006621213.tif 000002
【図２】
0006621213.tif 000003
【図３】
0006621213.tif 000004
【図４】
0006621213.tif 000005
【図５】
0006621213.tif 000006